(57)【要約】      （修正有）【課題】利用者の手及び身体全体を除菌することが可能な除菌システムを提供する。【解決手段】利用者の少なくとも一部を除菌するための除菌システム１００であって、利用者の進行方向が貫通している除菌室と、前記除菌室に取り付けられ、前記除菌室内に除菌液を噴射又は噴霧する噴霧ノズル７００と、前記除菌室内に設けられ、利用者の手を除菌するためのハンド除菌装置８００と、利用者が前記除菌室内に入ったことを検知する通過センサ９００と、を含み、前記通過センサ９００が利用者を検知した場合、前記噴霧ノズル７００から除菌液が噴射又は噴霧される除菌システム１００を提供する。【選択図】図７
2020182869.tif 000002
【特許請求の範囲】
【請求項１】
利用者の少なくとも一部を除菌するための除菌システムであって、
利用者の進行方向が貫通している除菌室と、
前記除菌室に取り付けられ、前記除菌室内に除菌液を噴射又は噴霧する噴霧ノズルと、
前記除菌室内に設けられ、利用者の手を除菌するためのハンド除菌装置と、
利用者が前記除菌室内に入ったことを検知する通過センサと、を含み、
前記通過センサが利用者を検知した場合、前記噴霧ノズルから除菌液が噴射又は噴霧される除菌システム。
【請求項２】
前記除菌室が、フレームと、
前記除菌室内の上方に配置される上面部と、
前記除菌室内の下方に配置される下面部と、
前記除菌室の左側に配置される第１側面部と、
前記除菌室の右側に配置される第２側面部と、を有し、
前記噴霧ノズル、前記ハンド除菌装置及び前記通過センサが前記フレームに取り付けられる請求項１記載の除菌システム。
【請求項３】
前記フレームは、前記除菌室の前方に配置される前方フレームと、
前記除菌室の後方に配置される後方フレームと、
前記前方フレームと前記後方フレームとの間に配置される第１側面フレーム及び第２側面フレームと、を有し、
前記噴霧ノズルは、第１噴霧ノズルと、第２噴霧ノズルと、第３噴霧ノズルと、第４噴霧ノズルと、を有し、
前記第１噴霧ノズル及び前記第２噴霧ノズルは、前記前方フレームに取り付けられ、
前記第３噴霧ノズル及び前記第４噴霧ノズルは、前記後方フレームに取り付けられる請求項２記載の除菌システム。
【請求項４】
前記第１側面フレームは、前記ハンド除菌装置を取り付けるための除菌装置取付けフレームを有し、
前記ハンド除菌装置は前記除菌装置取付けフレームの長手方向の中央部に配置される請求項３記載の除菌システム。
【請求項５】
請求項１乃至請求項４のいずれか１項に記載の除菌システムを用いた除菌方法であって、
利用者が前記ハンド除菌装置により手を除菌している間に、前記噴霧ノズルにより利用者に除菌液を噴射又は噴霧する除菌方法。
【発明の詳細な説明】
【技術分野】
【０００１】
本発明は、除菌装置等の除菌システムに関する。
【背景技術】
【０００２】
近年、新型コロナウイルス感染症（ＣＯＶＩＤ−１９）の感染が大きな社会問題となっており、その予防策の一つとして、手指を除菌するための除菌液を噴霧又噴射する除菌スプレーが用いられている。
【０００３】
除菌スプレーは樹脂製ボトル内のエタノール等が含まれる除菌液を手動操作でスプレーする手動式のものが広く流通しており、会社、学校、病院、図書館、公民館等、不特定多数の人が利用する施設の入り口や洗面所等に設置されて、施設利用者が自由に使用できるようになっている。
【０００４】
しかしながら、手動式の場合、手に荷物を持っていると手動操作しにくいとか、片方の手でスプレーを操作するため除菌液を両手に同時にスプレーしにくいといった問題点がある。
【０００５】
また、現時点では、新型コロナウイルス感染症（ＣＯＶＩＤ−１９）の治療法が確立されていないため、除菌スプレーの利用者は、不特定多数の人が触ったスプレーのヘッド部分を触りたがらないことも多い。
【０００６】
特許文献１では、このような問題点を解消すべく、ペダルを足で踏むと除菌スプレーの ヘッド が押されてエタノール等の除菌液が噴霧されるようにした足踏み式噴霧装置が開示されている。
【０００７】
また、特許文献２では、足への負担が少なく、踏み易く、液体が大量に出過ぎない足踏み式噴霧装置が開示されている。
【先行技術文献】
【特許文献】
【０００８】
【特許文献１】特開２００８−２２９２９６号公報
【特許文献２】特開２０１１−１１０５４４号公報
【発明の概要】
【発明が解決しようとする課題】
【０００９】
新型コロナウイルス感染症（ＣＯＶＩＤ−１９）やインフルエンザ等の感染症を予防するために、手洗いや消毒は欠かすことができない。
【００１０】
そして、人々は、少なくとも新型コロナウイルス感染症（ＣＯＶＩＤ−１９）の治療薬やワクチンが出来るまでは、新型コロナウイルス感染症（ＣＯＶＩＤ−１９）に感染するリスクと共に日常生活をおくる必要がある。
【００１１】
そして、新型コロナウイルス感染症（ＣＯＶＩＤ−１９）の薬が出来た後であっても、今後、人々は新型コロナウイルス感染症（ＣＯＶＩＤ−１９）の感染を、可能な限り防止するため、東京オリンピック、Ｊリーグ、プロ野球等の様々なイベントにおいて、手等の除菌を行う必要がある。
【００１２】
しかしながら、特許文献１及び特許文献２に係る発明は、手だけ除菌可能であり、衣類等に付着したウイルスを除菌することができないという問題がある。
【００１３】
本発明の目的は、利用者の手及び身体全体を除菌することが可能な除菌システムを提供することである。
【００１４】
本発明の他の目的は、利用者が触れることなく除菌することが可能な除菌システムを提供することである。
【課題を解決するための手段】
【００１５】
本発明の第１の局面に係る除菌システムは、利用者の少なくとも一部を除菌するための除菌システムであって、
利用者の進行方向が貫通している除菌室と、
前記除菌室に取り付けられ、前記除菌室内に除菌液を噴射又は噴霧する噴霧ノズルと、
前記除菌室内に設けられ、利用者の手を除菌するためのハンド除菌装置と、
利用者が前記除菌室内に入ったことを検知する通過センサと、を含み、
前記通過センサが利用者を検知した場合、前記噴霧ノズルから除菌液が噴射又は噴霧される除菌システムである。
【００１６】
利用者が除菌室に入ると除菌液が除菌室内に噴射又は噴霧され、利用者がハンド除菌装置により手を除菌している間、利用者には除菌液が浴びせられる。つまり、利用者は、手の除菌だけでなく、全身も除菌することができる。
【００１７】
また、利用者が除菌室を単に通過する場合より、より多くの除菌液を利用者に浴びせられるという効果を有する。
【００１８】
また、ハンド除菌装置が赤外線センサを有するものである場合、利用者は何かに触れることなく、手を含む全身を除菌液により除菌することが可能である。
【００１９】
本発明の第２の局面に係る除菌システムは、第１の局面に係る除菌システムであって、
前記除菌室が、フレームと、
前記除菌室内の上方に配置される上面部と、
前記除菌室内の下方に配置される下面部と、
前記除菌室の左側に配置される第１側面部と、
前記除菌室の右側に配置される第２側面部と、を有し、
前記噴霧ノズル、前記ハンド除菌装置及び前記通過センサが前記フレームに取り付けられる除菌システムである。
【００２０】
噴霧ノズル、ハンド除菌装置及び通過センサがフレームに取り付けられることにより、配線が目立ちにくく、見栄えが良いという効果を有する。
【００２１】
本発明の第３の局面に係る除菌システムは、第２の局面に係る除菌システムであって、
前記フレームは、前記除菌室の前方に配置される前方フレームと、
前記除菌室の後方に配置される後方フレームと、
前記前方フレームと前記後方フレームとの間に配置される第１側面フレーム及び第２側面フレームと、を有し、
前記噴霧ノズルは、第１噴霧ノズルと、第２噴霧ノズルと、第３噴霧ノズルと、第４噴霧ノズルと、を有し、
前記第１噴霧ノズル及び前記第２噴霧ノズルは、前記前方フレームに取り付けられ、
前記第３噴霧ノズル及び前記第４噴霧ノズルは、前記後方フレームに取り付けられる除菌システムである。
【００２２】
４カ所に配置された噴霧ノズルで、除菌室内に除菌液を噴射又は噴霧することにより、利用者の全身に除菌液を噴射又は噴霧することができる。
【００２３】
本発明の第４の局面に係る除菌システムは、第３の局面に係る除菌システムであって、
前記第１側面フレームは、前記ハンド除菌装置を取り付けるための除菌装置取付けフレームを有し、
前記ハンド除菌装置は前記除菌装置取付けフレームの長手方向の中央部に配置される除菌システムである。
【００２４】
ハンド除菌装置が除菌室内の進行方向の中央部に配置されることにより、利用者はハンド除菌装置の前に立ち止まり、手を除菌する。
【００２５】
そして、その間に、噴霧ノズルから除菌液が除菌室内の中央部に向けて除菌液を噴射又は噴霧するため、利用者がハンド除菌装置により手を除菌している間、利用者には除菌液が噴射又は噴霧される。
【００２６】
これにより利用者が除菌室を通過する場合より、より多くの除菌液が利用者に浴びせられるという効果を有する。
【００２７】
また、利用者は、手の除菌だけでなく、全身も除菌することができる。
【００２８】
本発明の第５の局面に係る除菌方法は、第１の局面乃至第４の局面のいずれかに係る除菌システムを用いた除菌方法であって、
利用者が前記ハンド除菌装置により手を除菌している間に、前記噴霧ノズルにより利用者に除菌液を噴射又は噴霧する除菌方法である。
【００２９】
これにより利用者が単に除菌室を通過する場合より、より多くの除菌液が利用者に浴びせられるという効果を有する。
【００３０】
また、利用者は、手の除菌だけでなく、全身も除菌することができる。
【図面の簡単な説明】
【００３１】
【図１】本発明に係る一実施形態の除菌システムの正面図。
【図２】同実施形態の除菌システムの背面図。
【図３】同実施形態の除菌システムの左側面図。
【図４】同実施形態の除菌システムの右側面図。
【図５】同実施形態の除菌システムの平面図。
【図６】同実施形態の除菌システムのＡ−Ａ断面図。
【図７】同実施形態の除菌システムの正面から見た画像。
【発明を実施するための形態】
【００３２】
以下、本発明の実施形態に関して図面を参照しながら説明する。
図１乃至図７に示すように、本発明の実施形態に係る除菌システム１００は、利用者が通過することができる高さを有し、所定の奥行を有するフレーム２００と、
フレーム２００の上側（ｚ軸正方向側）に配置される上面部３１０と、
フレーム２００の下側（ｚ軸負方向側）に配置される下面部３２０と、
フレーム２００の左側（ｘ軸負方向側）に配置される第１側面部３３０と、
フレーム２００の右側（ｘ軸正方向側）に配置される第２側面部３４０と、
エアーコンプレッサ５００及び除菌タンク６００が配置される収納部４００と、
除菌液が噴射又は噴霧される噴霧ノズル７００と、
利用者の手を除菌するためのハンド除菌装置８００と、
利用者を感知する通過センサ９００と、を含む。
【００３３】
フレーム２００と、上面部３１０、下面部３２０、第１側面部３３０及び第２側面部３４０により除菌室が構成される。
【００３４】
フレーム２００は、利用者が入る入口側（ｙ軸負方向側）に配置される前方フレーム２１０と、
利用者が出る出口側（ｙ軸正方向側）に配置される後方フレーム２２０と、
前方フレーム２１０と後方フレーム２２０とを接続し、左側（ｘ軸負方向側）に配置される第１側面フレーム２３０と、
前方フレーム２１０と後方フレーム２２０とを接続し、右側（ｘ軸正方向側）に配置される第２側面フレーム２４０と、
第１側面フレーム２３０と第２側面フレーム２４０とを接続し、進行方向（ｙ軸方向）の略中央部に配置される補強フレーム２５０と、を含む。
【００３５】
本実施形態では、フレーム２００の材質はアルミニウムであるが、他の材質が用いられてもよい。
【００３６】
本実施形態におけるフレーム２００は、幅（ｘ軸方向の距離）が９７０ｍｍ、高さ（ｚ軸方向の距離）が２０００ｍｍ、奥行（ｙ軸方向の距離）が１２００ｍｍである。
【００３７】
図１に示すように、前方フレーム２１０は、上側（ｚ軸正方向側）に配置される上前方フレーム２１１と、
下側（ｚ軸負方向側）に配置される下前方フレーム２１２と、
上前方フレーム２１１と下前方フレーム２１２との間に配置され、左側（ｘ軸負方向側）に配置される第１前方フレーム２１３と、
上前方フレーム２１１と下前方フレーム２１２との間に配置され、右側（ｘ軸正方向側）に配置される第２前方フレーム２１４と、を含む。
【００３８】
図２に示すように、後方フレーム２２０は、上側（ｚ軸正方向側）に配置される上後方フレーム２２１と、
下側（ｚ軸負方向側）に配置される下後方フレーム２２２と、
上後方フレーム２２１と下後方フレーム２２２との間に配置され、左側（ｘ軸負方向側）に配置される第１後方フレーム２２３と、
上後方フレーム２２１と下後方フレーム２２２との間に配置され、右側（ｘ軸正方向側）に配置される第２後方フレーム２２４と、を含む。
【００３９】
図３に示すように、第１側面フレーム２３０は、前方フレーム２１０と後方フレーム２２０とを接続するものであり、
上側（ｚ軸正方向側）に配置される上第１側面フレーム２３１と、
下側（ｚ軸負方向側）に配置される下第１側面フレーム２３２と、
上第１側面フレーム２３１と下第１側面フレーム２３２との間で、上下方向（ｚ軸方向）の略中央部に配置される中央第１側面フレーム２３３と、
上第１側面フレーム２３１と中央第１側面フレーム２３３との間で、ハンド除菌装置８００を取り付けるための除菌装置取付けフレーム２３４と、
下第１側面フレーム２３２と中央第１側面フレーム２３３との間で、フレーム２００の外側（ｚ軸負方向側）に配置される収納部４００を取り付けるための収納部取付けフレーム２３５と、を含む。
【００４０】
また、ハンド除菌装置８００を取り付けるため、除菌装置取付けフレーム２３４と中央第１側面フレーム２３３との間に補助フレーム２３６が設けられている。
【００４１】
補助フレーム２３６は、除菌装置取付けフレーム２３４の中央部（ｙ軸方向中央）と、中央第１側面フレーム２３３の中央部（ｙ軸方向中央）とを接続する。
【００４２】
図４に示すように、第２側面フレーム２４０は、前方フレーム２１０と後方フレーム２２０とを接続するものであり、
上側（ｚ軸正方向側）に配置される上第２側面フレーム２４１と、
下側（ｚ軸負方向側）に配置される下第２側面フレーム２４２と、
上第２側面フレーム２４１と下第２側面フレーム２４２との間で、上下方向（ｚ軸方向）の略中央部に配置される中央第２側面フレーム２４３と、を含む。
【００４３】
なお、本実施形態では、ハンド除菌装置８００と収納部４００とは、左側（ｘ軸負方向側）に取り付けられているため、除菌装置取付けフレーム２３４と収納部取付けフレーム２３５とは第１側面フレーム２３０に取り付けられているが、右側（ｘ軸正方向側）にハンド除菌装置８００と収納部４００とが取り付けられる構成であってもよい。
【００４４】
つまり、第１側面フレーム２３０と第２側面フレーム２４０との配置が逆であってもよい。
【００４５】
この場合、除菌装置取付けフレーム２３４と、収納部取付けフレーム２３５と、補助フレーム２３６とは、第２側面フレーム２４０に設けられる。
【００４６】
補強フレーム２５０は、上第１側面フレーム２３１と上第２側面フレーム２４１とに接続され、上前方フレーム２１１と上後方フレーム２２１との間に配置される上補強フレーム２５１と、
下第１側面フレーム２３２と下第２側面フレーム２４２とに接続され、下前方フレーム２１２と下後方フレーム２２２との間に配置される下補強フレーム２５２と、を含む。
【００４７】
補強フレーム２５０の数は限定されず、複数有する構成であってもよい。なお、本実施形態では、フレーム２００の材質はアルミニウムであり、フレームの溝は樹脂で埋め、細菌等が付着し難いように構成されている。
【００４８】
図５に示すように、上面部３１０は、上前方フレーム２１１と、上後方フレーム２２１と、上第１側面フレーム２３１と、上第２側面フレーム２４１と、上補強フレーム２５１とに取り付けられる。
【００４９】
本実施形態では、上面部３１０は、透明性を有する材質から構成され、光が通過するようになっている。これにより除菌室内が明るくなるという効果を有する。
【００５０】
具体的には、本実施形態では、上面部３１０は、ＰＣ（ポリカーボネート）から構成されている。
【００５１】
図６に示すように、下面部３２０は、下前方フレーム２１２と、下後方フレーム２２２と、下第１側面フレーム２３２と、下第２側面フレーム２４２と、下補強フレーム２５２とに取り付けられる。
【００５２】
下補強フレーム２５２は、下前方フレーム２１２、下後方フレーム２２２、下台側面フレーム２３２及び下第２側面フレーム２４２内を格子状に配置されている。
【００５３】
下面部３２０は、利用者が乗っても壊れないような材質で構成される。本実施形態では、下面部３２０の材質は鉄で構成されている。
【００５４】
下面部３２０が鉄で構成されていることにより、本実施形態に係る除菌システムを屋外に設置しても、突風等により飛ばされたり倒れたりし難くなるという効果を有する。
【００５５】
また、下面部３２０の表面は、ゴム等の滑り止め（摩擦係数の高い材質）が設けられており、利用者が滑りにくい構成となっている。
【００５６】
図３に示すように、第１側面部３３０は、第１前方フレーム２１３と、第１後方フレーム２２３と、上第１側面フレーム２３１と、下第１側面フレーム２３２と、中央第１側面フレーム２３３と、除菌装置取付けフレーム２３４と、収納部取付けフレーム２３５と、に取り付けられる。
【００５７】
第１側面部３３０は、第１前方フレーム２１３と、第１後方フレーム２２３と、上第１側面フレーム２３１と、中央第１側面フレーム２３３と、で構成される面である上第１側面部３３１と、
第１前方フレーム２１３と、第１後方フレーム２２３と、下第１側面フレーム２３２と、中央第１側面フレーム２３３と、で構成される面である下第１側面部３３２と、を含む。
【００５８】
上第１側面部３３１の材質としては、ＰＣ（ポリカーボネート）が用いられている。
【００５９】
本実施形態では、上第１側面部３３１は、透明性を有する材質から構成され、光が通過するようになっている。これにより除菌室内が明るくなるという効果を有する。
【００６０】
また、下第１側面部３３２の材質としては、鉄が用いられている。これにより、本実施形態に係る除菌システムを屋外に設置しても、突風等により飛ばされたり倒れたりし難くなるという効果を有する。
【００６１】
図４に示すように、第２側面部３４０は、第２前方フレーム２１４と、第２後方フレーム２２４と、上第２側面フレーム２４１と、下第２側面フレーム２４２と、中央第２側面フレーム２４３と、に取り付けられている。
【００６２】
第２側面部３４０は、第２前方フレーム２１４と、第２後方フレーム２２４と、上第２側面フレーム２４１と、中央第２側面フレーム２４３と、で構成される面である上第２側面部３４１と、
第２前方フレーム２１４と、第２後方フレーム２２４と、下第２側面フレーム２４２と、中央第２側面フレーム２４３と、で構成される面である下第２側面部３４２と、を含む。
【００６３】
上第２側面部３４１の材質としては、ＰＣ（ポリカーボネート）が用いられている。
【００６４】
本実施形態では、上第２側面部３４１は、透明性を有する材質から構成され、光が通過するようになっている。これにより除菌室内が明るくなるという効果を有する。
【００６５】
また、下第２側面部３４２の材質としては、鉄が用いられている。これにより、本実施形態に係る除菌システムを屋外に設置しても、突風等により飛ばされたり倒れたりし難くなるという効果を有する。
【００６６】
収納部４００は、本実施形態では、第１側面部３３０側に配置されている。
【００６７】
具体的には、収納部４００は、収納部取付けフレーム２３５と、下第１側面フレーム２３２と、に接続されている。
【００６８】
収納部４００には、噴霧ノズル７００に接続されているエアーコンプレッサ５００と、
噴霧ノズル７００に接続されている除菌タンク６００と、が収納されている。
【００６９】
収納部４００の壁部は、鉄で構成されており、本実施形態に係る除菌システムを屋外に設置しても、突風等により飛ばされたり倒れたりし難くなるという効果を有する。
【００７０】
本実施形態における収納部４００の大きさは、幅（ｘ軸方向の距離）が３９０ｍｍ、高さ（ｚ軸方向の距離）が６１０ｍｍ、奥行（ｙ軸方向の距離）が１２００ｍｍである。
【００７１】
エアーコンプレッサ５００は、利用者に除菌液を噴射又は噴霧する噴霧ノズル７００に接続されている。
【００７２】
本実施形態に係るエアーコンプレッサ５００の圧力は、０．４ＭＰａ以上０．５Ｍｐａ以下であるが、圧力はどのような圧力であってもよい。また、エアーコンプレッサ５００の圧力は調節可能であってもよい。
【００７３】
除菌タンク６００は、内部に除菌液を入れることができる。本実施形態では、除菌タンク６００の容量は１２Ｌである。
【００７４】
なお、本実施形態では、除菌タンク６００は、ハンド除菌装置８００に接続されていないが、接続される構成であってもよい。
【００７５】
つまり、ハンド除菌装置８００の除菌液が除菌タンク６００から使用されるような構成であってもよい。
【００７６】
ハンド除菌装置８００に使用される除菌液は、利用者の手等の肌を除菌できるものであればどのような液体であってもよいが、除菌効果のあるエタノール等のアルコールと、保湿効果のあるグリセリンが含まれるのが好ましい。アルコールの濃度は特に限定されない。
【００７７】
また、ハンド除菌装置８００に用いられる除菌液はジェル状のものであってもよい。
【００７８】
除菌タンク６００に入れられる除菌液は、除菌効果を有するものであればよい。例えば、除菌液は次亜塩素酸水、アルカリ電解水であってもよい。
【００７９】
除菌タンク６００に入れられる除菌液は、衣類等に付着しても変色等しないものが好ましい。
【００８０】
噴霧ノズル７００から噴射又は噴霧される除菌液と、ハンド除菌装置８００から排出される除菌液とは、同一であってもよく、又は異なるものであってもよい。
【００８１】
噴霧ノズル７００は、前方フレーム２１０に取り付けられる第１噴霧ノズル７１０及び第２噴霧ノズル７２０と、
後方フレーム２２０に取り付けられる第３噴霧ノズル７３０及び第４噴霧ノズル７４０と、を含む。
【００８２】
本実施形態では、噴霧ノズル７００は、４個のみ設置されているが、噴霧ノズル７００の数は限定されず、４個以上又は４個以下であってもよい。また、噴霧ノズル７００は、高さ位置が調節できるものであってもよい。
【００８３】
噴霧ノズル７００は、本実施形態では、口径が０．５ｍｍであり、噴霧量は、５０ｍ&#8467;／ｍｉｎ以上８０ｍ&#8467;／ｍｉｎ以下である。噴霧ノズル７００からの噴霧量は調節可能である。
【００８４】
噴射ノズル７００は、除菌室内の中央部付近に向けられている。
【００８５】
具体的には、利用者は、ハンド除菌装置８００の位置に立ち止まり、手を除菌するため、その大まかな立ち位置に除菌液が噴射又は噴霧されるように噴射ノズル７００の先端が向けられている。
【００８６】
第１噴霧ノズル７１０は、第１前方フレーム２１３の縦方向（ｚ軸方向）略中央部に配置されている。
【００８７】
具体的には、第１噴霧ノズル７１０は、第１前方フレーム２１３に配置され、除菌装置取付けフレーム２３４より下方に配置され、中央第１側面フレーム２３３より若干上方に配置されている。
【００８８】
第２噴霧ノズル７２０は、第２前方フレーム２１４の縦方向（ｚ軸方向）上方に配置されている。
【００８９】
具体的には、第２噴霧ノズル７２０は、上前方フレーム２１１より若干下方に配置されている。
【００９０】
第１噴霧ノズル７１０と第２噴霧ノズル７２０とが取り付けられている高さ位置が異なることにより、より多くの除菌液を利用者に浴びせることができる。なお、第１噴霧ノズル７１０及び第２噴霧ノズル７２０は、高さ位置（縦方向の位置、ｚ軸方向の位置）を調節できるようにしてもよい。
【００９１】
第３噴霧ノズル７３０は、第１後方フレーム２２３の縦方向（ｚ軸方向）上方に配置されている。
【００９２】
具体的には、第３噴霧ノズル７３０は、上後方フレーム２２１より若干下方に配置されている。
【００９３】
第４噴霧ノズル７４０は、第２後方フレーム２２４の縦方向（ｚ軸方向）略中央部に配置されている。
【００９４】
具体的には、第４噴霧ノズル７４０は、第２後方フレーム２２４に配置され、中央第２側面フレーム２４３より若干上方に配置されている。
【００９５】
第３噴霧ノズル７３０と第４噴霧ノズル７４０とが取り付けられている高さ位置が異なることにより、より多くの除菌液を利用者に浴びせることができる。なお、第３噴霧ノズル７３０及び第４噴霧ノズル７４０は、高さ位置（縦方向の位置、ｚ軸方向の位置）を調節できるようにしてもよい。
【００９６】
ハンド除菌装置８００は、除菌液を噴射又は噴霧する噴霧装置８１０と、
噴霧装置８１０の下方に配置される受け皿部８２０と、を含む。
【００９７】
噴霧装置８１０は、除菌液が噴射又は噴霧される噴霧部（図示しない）と、
除菌液を入れるハンド除菌タンク（図示しない）と、
利用者の手を感知する赤外線センサ部（図示しない）と、を有する。
【００９８】
噴霧装置８１０は、除菌装置取付けフレーム２３４と補助フレーム２３６に取り付けられている。
【００９９】
本実施形態では、ハンド除菌装置８００のハンド除菌タンクの容量は１０００ｍＬであるが、容量は限定されない。
【０１００】
本実施形態では、ハンド除菌装置８００は、除菌液を噴射又は噴霧するものであるが、噴射又は噴霧されず、液状（粘性を有するものも含む）の除菌液が排出されるものであってもよい。
【０１０１】
通過センサ９００は、前方フレーム２００に取り付けられている。具体的には、通過センサ９００は、上前方フレーム２１０に取り付けられている。
【０１０２】
利用者が前方フレーム２００内を通過すると、通過センサ９００は、その通過を検知し、噴霧ノズル７００から除菌液が噴射又は噴霧される。
【０１０３】
本実施形態では、通過センサ９００は赤外線センサであるが、利用者の通過を検知できるセンサであればどのようなものであってもよい。
【０１０４】
また、本実施形態では、通過センサ９００が利用者の通過を検知した場合、噴霧ノズル７００から５秒間、除菌液が噴射又は噴霧されるように設定されている。なお、噴霧ノズル７００から除菌液が噴射又は噴霧される時間は任意に設定できる。
【０１０５】
本実施形態では、上前方フレーム２１０に設けられた通過センサ９００が利用者の通過を検知した場合、所定時間、除菌液が噴霧ノズル７００から噴射又は噴霧されたが、後方フレーム２２０に通過センサを設け、後方フレーム２２０に設けられている通過センサが利用者を検知した場合に、噴霧ノズル７００からの除菌液の噴射又は噴霧が停止するようにしてもよい。
【０１０６】
本発明に係る除菌システム１００では、利用者は、ハンド除菌装置８００を使用して手を除菌するために、除菌室内で立ち止まる。
【０１０７】
そして、利用者が立ち止まっている間に、噴霧ノズル７００（本実施形態では、第１噴霧ノズル７１０、第２噴霧ノズル７２０、第３噴霧ノズル７３０及び第４噴霧ノズル７４０）から除菌液が噴射又は噴霧される。
【０１０８】
したがって、単に除菌室を通過するより多くの除菌液を利用者に浴びせることができるため、除菌効果が大きいという利点がある。
【０１０９】
本発明は、その趣旨を逸脱しない範囲で種々の改良、修正、又は変形を加えた態様でも実施できる。
【符号の説明】
【０１１０】
１００…除菌システム
２００…フレーム
２１０…前方フレーム
２２０…後方フレーム
２３０…第１側面フレーム
２４０…第２側面フレーム
２５０…補強フレーム
３１０…上面部
３２０…下面部
３３０…第１側面部
３４０…第２側面部
４００…収納部
５００…エアーコンプレッサ
６００…除菌タンク
７００…噴霧ノズル
８００…ハンド除菌装置
９００…通過センサ
【図１】
2020182869.tif 000003
【図２】
2020182869.tif 000004
【図３】
2020182869.tif 000005
【図４】
2020182869.tif 000006
【図５】
2020182869.tif 000007
【図６】
2020182869.tif 000008
【図７】
2020182869.tif 000009